(57)【要約】【課題】データ信号を伝送する信号線の寄生容量を低減する。【解決手段】発光装置１００は、複数の発光素子Ｐを含む有効領域Ａと、各発光素子Ｐに供給されるデータ信号を伝送する複数の信号バス配線３０と、信号バス配線３０から分岐して各発光素子Ｐにデータ信号を供給するための信号供給線３０１と、各発光素子Ｐに電源電圧を供給するための電源配線２０とを有する。信号バス配線３０は有効領域Ａの一辺と同じ方向に配設される。電源配線２０は主電源配線２０Ａと副電源配線２０Ｂとを有し、主電源配線２０Ａは信号供給線３０１を挟んで有効領域Ａの反対側に配設される。これにより、信号供給線３０１と主電源配線２０Ａとは交差しない。【選択図】図１
2008145624.tif 000002
【特許請求の範囲】
【請求項１】
有効領域に複数の発光素子が配列された基板と、
前記有効領域の一辺と同じ方向に延在し、外部から供給されたデータ信号を伝送する信号バス配線と、
前記信号バス配線から分岐し、前記データ信号を前記各発光素子に供給するための信号供給線と、
前記各発光素子に電源電圧を供給するための電源配線と、
を有し、
前記電源配線は、前記信号バス配線と同じ方向に延在する主電源配線と、前記主電源配線よりも細く、前記主電源配線から分岐した副電源配線と、前記副電源配線と前記各発光素子とを結ぶ給電線と、を有し、
前記主電源配線は前記信号バス配線を挟んで前記有効領域と反対側に配設される、
発光装置。
【請求項２】
前記信号供給線は、前記信号バス配線から分岐する第１信号供給線と前記各発光素子に接続する第２信号供給線とを有し、
前記第１信号供給線と前記第２信号供給線との間に設けられ、制御信号に応じてオン状態またはオフ状態の一方となることにより前記各発光素子に対して選択的に前記データ信号を供給するスイッチング素子と、
前記スイッチング素子よりも前記基板の端部側に配置され、前記制御信号を生成する制御回路と、
を更に有し、
前記副電源配線は第１副電源配線と第２副電源配線とを有し、前記第１副電源配線は複数本配設されて前記電源電圧を前記主電源配線から前記第２副電源配線に供給し、前記第２副電源配線は前記信号バス配線と同じ方向に延在し、前記給電線と接続され、
前記第２副電源配線は前記スイッチング素子よりも前記有効領域側に配設される、
請求項１に記載の発光装置。
【請求項３】
前記信号バス配線の本数に応じた個数のスイッチング素子が、前記制御信号によって同時にオン状態またはオフ状態の一方となり、
前記第１副電源配線は、前記信号バス配線本数の整数倍ごとに、隣り合う前記スイッチング素子の間隙を通るように配設される、
請求項２に記載の発光装置。
【請求項４】
前記制御回路は、前記主電源配線よりも前記基板の端部側に配置される、
請求項２または請求項３に記載の発光装置。
【請求項５】
請求項１乃至請求項４のいずれかに記載の発光装置を備えることを特徴とする電子機器。
【発明の詳細な説明】
【技術分野】
【０００１】
本発明は、有機ＥＬ（Electroluminescence）などの発光素子を利用した発光装置および当該発光装置を備えた電子機器に関する。
【背景技術】
【０００２】
発光装置として、例えば、特許文献１に記載の電気光学装置がある。その図２に示されるように、電気光学装置の基板上においては、有効領域に発光素子を含む複数の素子回路が配列され、その有効領域の外側に電源配線などの各種配線が配設されている。
【特許文献１】特開２００４−２７２２１５号公報
【発明の開示】
【発明が解決しようとする課題】
【０００３】
ところで、特許文献１に記載の電気光学装置では、その図２に示されるように、素子回路にデータ信号を伝送する配線５２（信号供給線）が基板の下端部から有効領域に向かって配設されるとともに、各素子回路に電源電圧を供給する共通配線３０、３２、３４（電源配線）が有効領域の上記基板下端部側の辺と同じ方向に配設されて、配線５２と交差している。一般的に、各素子回路に対してデータ信号を所定の期間内に確実に供給するためには、信号供給線の寄生容量は極力軽減されることが望ましい。一方、電源配線は電圧降下による発光輝度のバラツキを抑制する目的で、その幅は信号供給線と比較して非常に広い配線となる。このため、信号供給線が電源配線と交差すると、その交差面積に比例して大きな寄生容量が発生し、信号供給線を流れるデータ信号が劣化する。その結果、所定の期間内に信号波が十分に立ち上がらず、発光素子が所期の階調で発光しない、といった場合が起こり得る。
本発明は上述した事情に鑑みてなされたものであり、信号供給線の寄生容量を低減し、データ信号の劣化を防ぐことが可能な発光装置を提供することを解決課題とする。
【課題を解決するための手段】
【０００４】
本発明に係る発光装置は、有効領域に複数の発光素子が配列された基板と、前記有効領域の一辺と同じ方向に延在し、外部から供給されたデータ信号を伝送する信号バス配線と、前記信号バス配線から分岐し、前記データ信号を前記各発光素子に供給するための信号供給線と、前記各発光素子に電源電圧を供給するための電源配線と、を有し、前記電源配線は前記信号バス配線と同じ方向に延在する主電源配線と、前記主電源配線よりも細く、前記主電源配線から分岐した副電源配線と、前記副電源配線と前記各発光素子とを結ぶ給電線と、を有し、前記主電源配線は前記信号バス配線を挟んで前記有効領域と反対側に配設される。この発光装置においては、主電源配線は信号バス配線よりも基板の端部側に配設される。換言すれば、信号バス配線は、主電源配線よりも有効領域に近い位置に配設される。このため、信号バス配線から各発光素子に繋がる信号供給線が主電源配線と交差しない。よって、信号供給線の寄生容量が軽減される。その結果、データ信号の劣化を防ぐことが可能となり、各発光素子を所期の階調で発光させることが可能となる。また、仮に副電源配線が信号供給線と交差したとしても、副電源配線の線幅は主電源配線より細いので、信号供給線が主電源配線と交差した場合と比較すれば信号供給線の寄生容量は少なくなる。よって、データ信号の劣化が抑制され、ひいては、画質の劣化が抑制される。
【０００５】
本発明の好適な態様において、上記発光装置は、前記信号供給線は、前記信号バス配線から分岐する第１信号供給線（例えば、図１における信号供給線３０１）と前記各発光素子に接続する第２信号供給線（例えば、図１におけるデータ線１０２）とを有し、前記第１信号供給線と前記第２信号供給線との間に設けられ、制御信号に応じてオン状態またはオフ状態の一方となることにより前記各発光素子に対して選択的に前記データ信号を供給するスイッチング素子（例えば、スイッチングトランジスタ）と、前記スイッチング素子よりも前記基板の端部側に配置され、前記制御信号を生成する制御回路（例えば、シフトレジスタ）と、を更に有し、前記副電源配線は第１副電源配線と第２副電源配線とを有し、前記第１副電源配線は複数本配設されて前記電源電圧を前記主電源配線から前記第２副電源配線に供給し、前記第２副電源配線は前記信号バス配線と同じ方向に延在し、前記給電線と接続され、前記第２副電源配線は前記スイッチング素子よりも前記有効領域側に配設される。
第２副電源配線が仮にスイッチング素子より基板の端部側に配設された場合、第２副電源配線は、制御回路からスイッチング素子に制御信号を伝送する制御信号用配線と交差する。しかしながら、本態様においては、第２副電源配線をスイッチング素子よりも有効領域側に配設することで、制御信号用配線と第２副電源配線とが交差しない構成とすることができる。よって、制御信号用配線と第２副電源配線とを同じ層で形成することが可能となり、製造が簡易となる。また、複数の第１副電源配線を介して第２副電源配線に電源電圧が供給されるので、第２副電源配線のインピーダンスを小さくすることが可能となる。
【０００６】
好ましくは、前記信号バス配線の本数に応じた個数のスイッチング素子が、前記制御信号によって同時にオン状態またはオフ状態の一方となり、前記第１副電源配線は、前記信号バス配線本数の整数倍ごとに、隣り合う前記スイッチング素子の間隙を通るように配設されるのがよい。複数のスイッチング素子がひとつの制御信号によって同時にオン状態またはオフ状態の一方となる場合、制御信号用配線は複数のスイッチング素子に対して共通に接続される。この態様においては、この共通に接続された制御信号用配線を横切ることなく第１副電源配線が配設される。よって、本態様によれば、制御信号用配線と第１副電源配線とを同じ層で形成することが可能となり、製造が簡易となる。また、第１副電源配線は信号バス配線の本数に応じた個数のスイッチング素子おきに配設されるので、レイアウト面積を削減することが可能となる。
【０００７】
さらに、好ましくは、前記制御回路は、前記主電源配線よりも前記基板の端部側に配置される。この態様によれば、制御回路に入力されるクロック信号やパルス開始信号用の各配線と電源配線とが交差しないので、これらの信号線と電源配線との間に交差容量が発生しない。よって、制御回路の動作不良を防ぐことが可能となる。
【０００８】
さらに、本発明は、上記発光装置のいずれかを備える電子機器としても把握される。本発明によれば、上述した各態様に係る発光装置に係る効果の何れかと同様の効果が達成される。
【発明を実施するための最良の形態】
【０００９】
以下、添付の図面を参照しながら本発明に係る実施の形態を説明する。なお、図面においては、各部の寸法の比率は実際のものとは適宜に異ならせてある。
＜Ａ：実施形態＞
図１に、本発明の実施形態に係る発光装置１００の構成を示す。図１に示されるように、発光装置１００の基板１０の表面には、マトリクス状に配列された複数の発光素子Ｐを含む有効領域Ａが形成される。有効領域Ａには、Ｘ方向に沿ってｍ本の走査線１０１と、これらと直交するｎ本のデータ線１０２およびｎ本の給電線１０３とが形成される。発光素子Ｐ（より正確には、発光素子Ｐを含む素子回路）は、走査線１０１とデータ線１０２との交差に対応して配置される。本実施形態の発光素子Ｐは、有機ＥＬ（Electroluminescence）材料から形成された発光層を含む発光機能層とこの発光機能層を挟む陽極および陰極とを有する有機発光ダイオード（有機ＥＬ）素子であり、発光機能層に供給される電流に応じた輝度で発光する。各発光素子Ｐには、電源電圧ＶELが給電線１０３を介して供給される。
【００１０】
図１に示されるように、本実施形態の発光素子Ｐは、ＲＧＢ各色で発光可能な３種類の発光素子Ｐがストライプ状に配列されている。ＲＧＢ３色の３個の発光素子Ｐから成る発光素子群Ｇは、後述するシフトレジスタ１５から与えられる制御信号Ｓｃに応じて、３個の発光素子Ｐが同時に発光するよう制御される。すなわち、本実施形態の発光装置１００は、カラー有機ＥＬパネルである。
【００１１】
発光装置１００は、さらに、有効領域Ａの左右に配置された走査線駆動回路５０Ａ，５０Ｂを有する。各走査線駆動回路５０Ａ，５０Ｂは、外部から入力されたＹクロック信号、Ｙ転送開始パルス信号などの制御信号（図示略）に応じて、走査線１０１を順次選択する。このときデータ線１０２に供給されるデータ信号Ｄに応じた電流が発光素子Ｐに流れ、各発光素子Ｐはデータ信号Ｄに応じた階調で発光する。
【００１２】
図１に示されるように、発光装置１００は、さらに、基板１０の下端部に沿う領域にＸ方向を長手として配置されたシフトレジスタ１５と、このシフトレジスタ１５より基板１０の内側の領域にＸ方向に配設された電源配線２０とを有する。電源配線２０よりもさらに内側には、同じくＸ方向に延在する３本の信号バス配線３０（３０ｒ、３０ｇ、３０ｂ）が配設され、信号バス配線３０と有効領域Ａの間隙には複数の選択部４０が配置される。信号バス配線３０は、各発光素子Ｐに供給されるデータ信号Ｄを伝送するための信号線である。信号バス配線３０ｒはＲ色で発光する発光素子Ｐに与えられるデータ信号Ｄｒを伝送する信号線であり、信号バス配線３０ｇはＧ色で発光する発光素子Ｐに与えられるデータ信号Ｄｇを伝送する信号線であり、信号バス配線３０ｂはＢ色で発光する発光素子Ｐに与えられるデータ信号Ｄｂを伝送する信号線である。これらのデータ信号Ｄ（Ｄｒ，Ｄｇ，Ｄｂ）は、基板１０の下端部に設けられた端子を介して外部から入力される信号であり、外部の図示せぬ制御手段によって、画像データによって指定された階調に応じた電位に保持されている。各信号バス配線３０は、各信号バス配線３０から分岐する信号供給線３０１（３０１ｒ，３０１ｇ，３０１ｂ）を介して選択部４０に接続される。
【００１３】
シフトレジスタ１５には、基板１０の下端部に設けられた端子を介してＸクロック信号ＣＫおよびＸ転送開始パルスＳＰが入力される。シフトレジスタ１５は、このＸクロック信号ＣＫに基づいてＸ転送開始パルスＳＰを順次シフトして排他的に有効となる複数のシフトパルスを生成する。このシフトパルスは制御信号用配線１０ａを介して制御信号Ｓｃとして各選択部４０に供給される。シフトレジスタ１５は、上述した走査線駆動回路５０Ａ，５０Ｂによって走査線１０１のいずれかが選択されている１走査期間内に、複数の選択部４０のすべてを排他的に順次オン状態とする。
【００１４】
図２は、基板１０における領域Ｂの詳細な構成を示す平面図である。図２に示されるように、選択部４０は、発光素子群ＧのＲＧＢ各色の３個の発光素子Ｐに対応する３個のスイッチングトランジスタ（スイッチング素子）Ｔｓ1，Ｔｓ2，Ｔｓ3を備える。換言すれば、選択部４０は、信号バス配線３０の本数（３本）に対応した個数のスイッチングトランジスタＴｓを備える。この例の各スイッチングトランジスタＴｓ（Ｔｓ1，Ｔｓ2，Ｔｓ3）には各ゲート電極に共通して１個の制御信号Ｓｃが供給される。シフトレジスタ１５から選択部４０に対して制御信号Ｓｃが供給されることにより各スイッチングトランジスタＴｓがオン状態になると、各信号バス配線３０からのデータ信号Ｄが信号供給線３０１を介して読み込まれて、各データ線１０２に供給される。よって、本実施形態の発光装置１００は、各発光素子群Ｇがシフトレジスタ１５からの制御信号Ｓｃによって順次駆動される点順次駆動型である。
【００１５】
図２に示される各要素は、ハッチングで示されるゲート配線と、図示せぬ絶縁層を挟んでゲート配線の上層に位置するソース配線により形成される。図示されるように、シフトレジスタ１５からの制御信号Ｓｃを各スイッチングトランジスタＴｓに供給する制御信号用配線１０ａ、各信号バス配線３０から分岐する各信号供給線３０１、および各スイッチングトランジスタＴｓのゲート電極はゲート配線により形成される。これに対し、各信号バス配線３０と、各スイッチングトランジスタＴｓの各電極はソース配線により形成される。ゲート配線で形成された要素（例えば、信号供給線３０１）と、ソース配線で形成された要素（例えば、信号バス配線３０）とは、コンタクトホールＣＨを介して導通される。
【００１６】
図１および図２に示されるように、電源配線２０は、シフトレジスタ１５と３本の信号バス配線３０との間にＸ方向に配設された主電源配線２０Ａと、この主電源配線２０Ａから分岐した副電源配線２０Ｂとを有する。主電源配線２０Ａはソース配線で形成され、副電源配線２０Ｂはゲート配線で形成される。副電源配線２０Ｂは、隣り合う選択部４０の間隙を通りＹ方向に配設された複数本の第１副電源配線２０Ｂ1と、選択部４０と有効領域Ａの間隙においてＸ方向に延在する第２副電源配線２０Ｂ2とを有する。第２副電源配線２０Ｂ2は各給電線１０３と接続する。この構成において、基板１０の下端部の端子を介して外部から入力された電源電圧ＶELは、主電源配線２０Ａ、コンタクトホールＣＨ、第１副電源配線２０Ｂ1、および第２副電源配線２０Ｂ2を介して給電線１０３に供給される。
【００１７】
ここで、電源配線２０は、配線における電圧降下を防ぎ、発光素子Ｐの輝度のバラツキを防ぐという観点から、低抵抗であることが望ましい。このため、一般的に、電源配線２０は幅広の配線で構成される。これに対し、上述したように、データ信号Ｄは信号バス配線３０から信号供給線３０１を介して各発光素子Ｐに供給されるが、このデータ信号Ｄは、１走査期間内に、選択されたすべての発光素子Ｐに対して書き込まれなければならない。よって、制御信号Ｓｃによって選択部４０がオン状態とされる期間は極めて短い期間であり、この期間内にデータ信号Ｄの信号波形が十分立ち上がっていることが望ましい。さもなくば、所期の階調で発光素子Ｐが発光せず、画質が劣化するといったことが起こり得る。したがって、信号バス配線３０および信号供給線３０１を伝送される信号の劣化を防ぐ観点から、これらの信号線における寄生容量は可能な限り低減されることが望ましい。以上の点から、線幅の広い電源配線２０と信号バス配線３０または信号供給線３０１との交差により発生する交差容量はできる限り低減するように、両者を配置することが望ましい。
【００１８】
図３に、比較例として、信号バス配線３０を電源配線２０よりも基板１０の端部側に配置した例を示す。図３に示されるように、この比較例においては、各信号バス配線３０から分岐した信号供給線３０１は、主電源配線２０Ａと交差して選択部４０に接続する。この交差部分Ｃ２には、主電源配線２０Ａの線幅Ｗ４と信号供給線３０１の線幅Ｗ２とに応じた交差容量（交差面積Ｗ２×Ｗ４に応じた容量）が発生する。これに対し、図２に示されるように、本実施形態の発光装置１００においては、主電源配線２０Ａの内側に信号バス配線３０を配設したので、信号供給線３０１と電源配線２０は交差しない。代わりに、信号バス配線３０と副電源配線２０Ｂが交差し、交差部分Ｃ１において、信号バス配線３０の線幅Ｗ１と第１副電源配線２０Ｂ1の線幅Ｗ３に応じた交差容量（交差面積Ｗ１×Ｗ３に応じた容量）が発生する。本実施形態では、比較例よりもこの交差容量が少なくなるように、交差面積Ｗ１×Ｗ３＜交差面積Ｗ２×Ｗ４となるように設定されている。特に、線幅Ｗ４は、装置全体に電源を供給する観点から、他の配線の幅と比較して非常に大きい。また、例えば、副電源配線２０Ｂは、各発光素子Ｐに電源電圧を供給するから、線幅Ｗ３は線幅Ｗ４に次いで大きいことが望ましい。さらに、信号バス配線３０は、信号供給線３０１と比較して配線長が長いので、Ｗ２＜Ｗ１とすることが望ましい。よって、Ｗ２＜Ｗ１＜Ｗ３＜Ｗ４であることが望ましい。このように、本実施形態によれば、主電源配線２０Ａを信号バス配線３０よりも内側に配置することでデータ信号Ｄを伝送する配線（この場合、信号バス配線３０または信号供給線３０１）と電源配線２０との交差面積が低減され、データ信号Ｄの劣化を抑制することが可能となる。結果として、画質の劣化が抑制される。
【００１９】
ところで、この態様においては主電源配線２０Ａを信号バス配線３０よりも有効領域Ａから離れた位置に配置する構成としたので、電源電圧ＶELを各発光素子Ｐに供給するための配線が必要となる。そこで、本実施形態の発光装置１００においては、Ｘ方向に延在し、各給電線１０３に共通して接続する第２副電源配線２０Ｂ2を、選択部４０と有効領域Ａとの間隙に配置する。第２副電源配線２０Ｂ2に対しては、複数の第１副電源配線２０Ｂ1を介して主電源配線２０Ａからの電源電圧ＶELを供給する。よって、第２副電源配線２０Ｂ2におけるインピーダンスを主電源配線２０と同程度に小さく保つことが可能となる。また、仮に、第２副電源配線２０Ｂ2を選択部４０よりも基板１０の端部側に配置した場合には、第２副電源配線２０Ｂ2と制御信号用配線１０ａが交差する。しかしながら、本実施形態においては、２副電源配線２０Ｂ2を選択部４０の有効領域Ａ側に配置したので、第２副電源配線２０Ｂ2と制御信号用配線１０ａが交差しない構成とすることができる。したがって、制御信号用配線１０ａと第２副電源配線２０Ｂ2とを同じ層（ゲート配線）で形成することが可能となり、製造が簡易となる。
【００２０】
さらに、上述したように、選択部４０は３個のスイッチングトランジスタＴｓを備えており、ひとつの制御信号Ｓｃによって同時にオン状態またはオフ状態の一方とされる。このため、第１副電源配線２０Ｂ1が仮に選択部４０を横切るように配置された場合、制御信号用配線１０ａと第１副電源配線２０Ｂ1が交差する。しかしながら、本実施形態では、第１副電源配線２０Ｂ1が隣り合う選択部４０の間隙を通る構成としているので、第１副電源配線２０Ｂ1と制御信号用配線１０ａが交差しない。よって、両者を同じ層（ゲート配線）で形成することが可能となり、製造が簡易となる。また、第１副電源配線２０Ｂ1を隣り合うスイッチングトランジスタＴｓの間隙すべてに配設する態様と比較して、基板１０全体におけるレイアウト面積を削減することが可能となる。
なお、この例では、１個の選択部４０に１本の第１副電源配線２０Ｂ1を配設したが、複数の選択部４０に対して、１本の第１副電源配線２０Ｂ1を設けてもよい。換言すれば、信号バス配線３０の整数倍ごとに、隣り合うスイッチングトランジスタＴｓの間を通るように第１副電源配線２０Ｂ1を配設すればよい。
【００２１】
加えて、上述したように、シフトレジスタ１５には、外部からＸクロック信号ＣＫおよびＸパルス開始信号ＳＰが入力される。本実施形態では、シフトレジスタ１５を主電源配線２０Ａより基板１０の端部側に配置する構成としたので、Ｘクロック信号ＣＫおよびＸパルス開始信号ＳＰをシフトレジスタ１５に入力する配線が電源配線２０と交差しない。よって、シフトレジスタ１５の動作不良を防ぐことが可能となる。
【００２２】
以上説明したように、本実施形態の発光装置１００によれば、電源配線２０と信号バス配線３０または信号供給線３０１とが交差することにより発生する交差容量が低減される。したがって、信号バス配線３０および信号供給線３０１で伝送されるデータ信号Ｄの劣化が抑制され、結果として、高品位な画質が実現される。また、制御信号用信号線１０ａと副電源配線２０Ｂとが交差しないように配設することにより、これらの配線を同じ層で形成することが可能となり、製造が簡易となる。また、第１副電源配線２０Ｂ1を複数設けて第２副電源配線２０Ｂ2に電源電圧ＶELを供給することで、第２副電源配線２０Ｂ2をローインピーダンスに保つとともに、第１副電源配線２０Ｂ1を複数のスイッチングトランジスタＴｓごとに設ける態様としたので、レイアウト面積を削減することが可能となる。このように、発光装置１００によれば、信号の劣化を抑制しつつ、効率的に各配線を配置することが可能となる。
【００２３】
＜Ｂ：変形例＞
上述した実施形態においては、ＲＧＢ３色のいずれかで発光する３種類の発光素子Ｐが配列される構成としたが、白色で発光する発光素子を配列するとともに、発光素子からの出射光の進行方向にカラーフィルターを設ける態様としてもよい。また、上述した実施形態では点順次駆動方式を採用していたが、線順次駆動方式を採用してもよい。
また、上記発光装置１００を画像形成装置の光ヘッドとして用いてもよい。その場合、選択部４０の後段にラッチ回路を設けて、すべての発光素子Ｐを同時に発光させる態様とすればよい。
これらいずれの態様においても、上述した効果と同様の効果が達成される。
【００２４】
＜Ｃ：応用例＞
次に、本発明に係る発光装置を利用した電子機器について説明する。図４ないし図６には、以上の何れかの形態に係る発光装置を表示装置として採用した電子機器の形態が図示されている。
【００２５】
図４は、発光装置を採用したモバイル型のパーソナルコンピュータの構成を示す斜視図である。パーソナルコンピュータ２０００は、各種の画像を表示する発光装置１００と、電源スイッチ２００１やキーボード２００２が設置された本体部２０１０とを具備する。発光装置１００は有機発光ダイオード素子を発光素子Ｅとして使用しているので、視野角が広く見易い画面を表示できる。
【００２６】
図５は、発光装置を適用した携帯電話機の構成を示す斜視図である。携帯電話機３０００は、複数の操作ボタン３００１およびスクロールボタン３００２と、各種の画像を表示する発光装置１００とを備える。スクロールボタン３００２を操作することによって、発光装置１００に表示される画面がスクロールされる。
【００２７】
図６は、発光装置を適用した携帯情報端末（ＰＤＡ：Personal Digital Assistants）の構成を示す斜視図である。情報携帯端末４０００は、複数の操作ボタン４００１および電源スイッチ４００２と、各種の画像を表示する発光装置１００とを備える。電源スイッチ４００２を操作すると、住所録やスケジュール帳といった様々な情報が発光装置１００に表示される。
【００２８】
なお、本発明に係る発光装置が適用される電子機器としては、図４から図６に示した機器のほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。また、本発明に係る発光装置の用途は画像の表示に限定されない。例えば、光書込型のプリンタや電子複写機といった画像形成装置においては、用紙に形成されるべき画像に応じて感光体を露光する光ヘッド（書込ヘッド）が使用されるが、この種の光ヘッドとしても本発明の発光装置は利用される。
【図面の簡単な説明】
【００２９】
【図１】本発明の一実施形態に係る発光装置の構成を示すブロック図である。
【図２】図１に示す領域Ｂの詳細を示す平面図である。
【図３】比較例を示す平面図である。
【図４】発光装置を採用したモバイル型のパーソナルコンピュータの構成を示す斜視図である。
【図５】発光装置を適用した携帯電話機の構成を示す斜視図である。
【図６】発光装置を適用した携帯情報端末の構成を示す斜視図である。
【符号の説明】
【００３０】
１０…基板、１５…シフトレジスタ、２０…電源配線、２０Ａ…主電源配線、２０Ｂ…副電源配線、２０Ｂ1…第１副電源配線、２０Ｂ2…第２副電源配線、３０…信号バス配線、３０１…信号供給線、４０…選択部、５０Ａ，５０Ｂ…走査線駆動回路、１００…発光装置、１０１…走査線、１０２…データ線１０２…給電線、Ａ…有効領域、Ｔｓ（Ｔｓ1，Ｔｓ2，Ｔｓ3）…スイッチングトランジスタ、Ｐ…発光素子。
【図１】
2008145624.tif 000003
【図２】
2008145624.tif 000004
【図３】
2008145624.tif 000005
【図４】
2008145624.tif 000006
【図５】
2008145624.tif 000007
【図６】
2008145624.tif 000008